(57)【要約】【課題】組み付けが容易になり、爪部の破損を防止しつつ、フロントパネルの正面に生ずる成形不良の影響を低減することが可能な空気調和装置を提供することを目的とする。【解決手段】空気調和装置は、フロントパネル２と、フロントパネル２の背面に設けられるプレート５とを備え、プレート５の端部に沿ってプレート５に対して立設され、凸状の突起部１４が形成された板状の爪部１０と、フロントパネル２の背面に対して固定され、突起部１４が嵌まる孔部１３が形成された固定板１１とを有し、爪部１０は、プレート５の端部に沿って長い部材であり、長手方向一端側が固定端とされ、長手方向他端側が自由端とされ、突起部１４は、長手方向他端側に形成されている。【選択図】図２
2017138075.tif 000002
【特許請求の範囲】
【請求項１】
フロントパネルと、
前記フロントパネルの背面に設けられるプレートと、
を備え、
前記プレートの端部に沿って前記プレートに対して立設され、凸状の突起部が形成された板状の爪部と、
前記フロントパネルの背面に対して固定され、前記突起部が嵌まる孔部が形成された固定板と、
を有し、
前記爪部は、前記プレートの端部に沿って長い部材であり、長手方向一端側が固定端とされ、長手方向他端側が自由端とされ、
前記突起部は、前記長手方向他端側に形成されている空気調和装置。
【請求項２】
前記爪部は、前記プレートの互いに対向する２辺に設けられ、
前記固定板は、前記プレートの互いに対向する前記２辺それぞれに対応して設置される請求項１に記載の空気調和装置。
【請求項３】
前記爪部は、前記プレートの一つの辺側に二つ以上設置され、各前記爪部は同一面内に設置される請求項１又は２に記載の空気調和装置。
【発明の詳細な説明】
【技術分野】
【０００１】
本発明は、空気調和装置に関するものである。
【背景技術】
【０００２】
空気調和装置（例えば壁掛け式ルームエアコンなど）の室内機には、運転状態等をＬＥＤといった発光素子の点灯及び消灯で示す表示部や、リモコンからの赤外光を受光する受光部が設けられる。室内機のフロントパネルには、表示部や受光部などの部品類を隠して、製品の見栄えを良くするため、透過プレートが設けられる。透過プレートは、表示部が発光する可視光や、受光部が受光する赤外光が透過するような、フロントパネルの他の部分とは材質が異なる透過部材が用いられる。
【０００３】
下記の特許文献１では、壁掛け式の空気調和機において、受光方向が異なり、断面積を徐々に狭くした複数の透明な受光窓を設けることによって、意匠性を向上させて広範囲のリモコン受信ができるようにする技術が開示されている。
【先行技術文献】
【特許文献】
【０００４】
【特許文献１】特開２００１−４１６５号公報
【発明の概要】
【発明が解決しようとする課題】
【０００５】
従来、上述した透過プレート５１は、図６及び図７に示すように、室内機のフロントパネル５０の裏面側に形成された爪部５２に嵌め合わされることで、フロントパネル５０に固定されている。
【０００６】
爪部５２は、フロントパネル５０の裏面から立設され、透過プレート５１側に折れ曲がった形状を有する。このフロントパネル５０に形成された爪部５２は、長さが短いため、すなわち、透過プレート５１の板厚程度の長さであるため、たわみ量が小さい。そのため、室内機の組立工程において、透過プレート５１を組み付けづらく、場合によっては、組み付け時に破損することもあった。
【０００７】
また、爪部５２の強度を上げるため、爪部５２の肉厚を厚くすると、フロントパネル５０の正面にヒケ等の成形不良が生じる可能性がある。そのため、破損防止のため、爪部５２の肉厚を厚くする対策が取りづらい。
【０００８】
本発明は、このような事情に鑑みてなされたものであって、組み付けが容易になり、爪部の破損を防止しつつ、フロントパネルの正面に生ずる成形不良の影響を低減することが可能な空気調和装置を提供することを目的とする。
【課題を解決するための手段】
【０００９】
上記課題を解決するために、本発明の空気調和装置は以下の手段を採用する。
すなわち、本発明に係る空気調和装置は、フロントパネルと、前記フロントパネルの背面に設けられるプレートとを備え、前記プレートの端部に沿って前記プレートに対して立設され、凸状の突起部が形成された板状の爪部と、前記フロントパネルの背面に対して固定され、前記突起部が嵌まる孔部が形成された固定板とを有し、前記爪部は、前記プレートの端部に沿って長い部材であり、長手方向一端側が固定端とされ、長手方向他端側が自由端とされ、前記突起部は、前記長手方向他端側に形成されている。
【００１０】
この構成によれば、爪部に形成された突起部が、固定板の孔部に対して嵌まることで、プレートがフロントパネルに対して固定される。そして、爪部は、プレートの端部に沿って長い板材であって、長手方向一端部が固定端とされ、長手方向他端部が自由端とされている。これにより、爪部が撓む範囲の長さを長くとることができ、爪部の撓み量も大きくすることができる。また、組み付け時に撓みが生じる爪部は、フロントパネルではなく、プレートに設置される。したがって、爪部が破損されにくいように板厚を厚く設定したとしても、フロントパネルの成形には、何ら影響を及ぼさない。
【００１１】
上記発明において、前記爪部は、前記プレートの互いに対向する２辺に設けられ、前記固定板は、前記プレートの互いに対向する前記２辺それぞれに対応して設置されてもよい。
【００１２】
この構成によれば、爪部に形成された突起部が、固定板の孔部に対して嵌まったとき、プレートは、両側に設けられた固定板から挟まれている状態となり、フロントパネルに対して安定して固定される。
【００１３】
上記発明において、前記爪部は、前記プレートの一つの辺側に二つ以上設置され、各前記爪部は同一面内に設置されてもよい。
【００１４】
この構成によれば、プレートの一つの辺側で二つ以上の爪部が設けられるため、プレートがフロントパネルに対して固定されることから、プレートがフロントパネルの板面に対して垂直方向及び水平方向に移動しにくくなる。
【発明の効果】
【００１５】
本発明によれば、組み付けが容易になり、爪部の破損を防止しつつ、フロントパネルの正面に生ずる成形不良の影響を低減することができる。
【図面の簡単な説明】
【００１６】
【図１】本発明の一実施形態に係る空気調和装置の室内機を示す斜視図である。
【図２】本発明の一実施形態に係る室内機のフロントパネルとプレートを示す分解斜視図である。
【図３】本発明の一実施形態に係る室内機のフロントパネルとプレートを示す斜視図である。
【図４】本発明の一実施形態に係る室内機のプレートを示す斜視図である。
【図５】本発明の一実施形態に係る室内機のプレートを示す部分平面図である。
【図６】従来の室内機のフロントパネルと透過プレートを示す斜視図である。
【図７】従来の室内機のフロントパネルと透過プレートを示す縦断面図である。
【発明を実施するための形態】
【００１７】
以下、本発明の一実施形態に係る空気調和装置の室内機１について、図面を用いて説明する。
空気調和装置の室内機１は、例えば、壁掛け式であり、送風機（クロスフローファン）及びその駆動モータや熱交換器が、ベース本体（図示せず。）に組み付けられて内蔵されている。また、図１に示すように、室内機１の正面には、ベース本体に組み付けられたフロントカバー（図示せず。）の前面を覆うようにフロントパネル２が設置され、室内機１の下方には、ベース本体に組み付けられた吹出口３が設けられる。吹出口３には、風向調整用のルーバ及びフラップ４等が設けられる。
【００１８】
例えば、フロントパネル２のうち吹出口３の隣りに位置する部分には、プレート５が設置される。プレート５は、室内機１の内部に設けられた表示部や受光部などの部品類を覆いつつ、表示部が発光する可視光や、受光部が受光する赤外光を透過させる。表示部は、ＬＥＤ等の発光素子を備え、点灯及び消灯によって、室内機１の運転状態等を示す。受光部は、リモコンから照射された赤外光を受光する。
【００１９】
プレート５が設置される部分のフロントパネル２には、図１及び図２に示すように、開口部６が形成されており、フロントパネル２の裏面側から設置されたプレート５は、フロントパネル２の正面側に露出している。
【００２０】
プレート５は、図２から図４に示すように、フロントパネル２に固定される本体部７と、本体部７に固定されるレンズ部８などを有する。本体部７には爪部１０が形成され、爪部１０がフロントパネル２の固定板１１に嵌まることで、本体部７がフロントパネル２に固定される。レンズ部８には、光を集光するレンズ９が設けられている。レンズ部８は、可視光や赤外光を透過させる材質から構成されている。レンズ部８は、例えば本体部７に形成された爪部１２によって、本体部７に対して嵌め合わされて固定される。なお、本体部７には、レンズ部８のレンズ９に対応する位置に開口部１６が形成されており、本体部７とレンズ部８が組み合わされたとき、開口部１６からレンズ９が露出する。
【００２１】
なお、本発明のプレートは、本体部７とレンズ部８のように別部材からなる場合に限定されず、１枚のみから構成される場合も含まれる。また、プレートが三つ以上の部品から構成されてもよい。また、プレートは、上述したとおり、可視光や赤外光を透過させる材質を有する部材が用いられるが、光を集光させるレンズを必ずしも備えなくてもよい。
【００２２】
フロントパネル２の裏面には、図２及び図３に示すように、プレート５を設置させる部分に対応して固定板１１が設置される。固定板１１は、フロントパネル２の裏面に対して、ほぼ垂直に設けられる。固定板１１は、一方向に長い部材であり、長辺側がフロントパネル２の裏面に沿って設けられ、短辺側がフロントパネル２の板面に対する鉛直方向に対応する。
【００２３】
固定板１１は、プレート５の互いに対向する２辺それぞれに対応して、フロントパネル２の裏面に２枚設置される。各固定板１１は、互いに平行である。これにより、爪部１０に形成された突起部１４が、固定板１１の孔部１３に対して嵌まったとき、プレート５は、両側に設けられた固定板１１から挟まれている状態となり、フロントパネル２に対して安定して固定される。
【００２４】
固定板１１には、二つの孔部１３が形成され、二つの孔部１３は、固定板１１の長手方向に沿って並んで設けられる。プレート５がフロントパネル２に設置される位置で、孔部１３に対して爪部１０の突起部１４が嵌まるように、孔部１３の位置や大きさが設定されている。
【００２５】
なお、固定板１１には、プレート５の位置決めや、プレート５の鉛直方向の移動、すなわち、フロントパネル２からの浮き上がりを防止するため、抑え部１５が設けられてもよい。抑え部１５は、固定板１１に対して垂直方向の板面を有する。プレート５がフロントパネル２に設置されたとき、プレート５の端部が抑え部１５とフロントパネル２の間に収容される。
【００２６】
プレート５の対向する２辺、本実施形態では、本体部７の対向する２辺には、端部に沿って爪部１０が設置される。爪部１０は、本体部７の板面に対して、ほぼ垂直に設けられる。爪部１０は、一方向に長い部材であり、長辺側が本体部７の端部に対してほぼ平行に設けられ、短辺側が本体部７の板面に対する鉛直方向に対応する。
【００２７】
爪部１０は、本体部７の互いに対向する２辺それぞれに二つずつ、計四つ設置される。一辺側に設置された爪部１０と他辺側に設置された爪部１０とは、互いに平行である。また、一つの辺側に設置された二つの爪部１０は、同一面内に設置される。これにより、本体部７の一つの辺側で二つの爪部１０が設けられるため、プレート５がフロントパネル２の板面に対して垂直方向及び水平方向に移動しにくくなる。
【００２８】
各爪部１０の長手方向一端側は、本体部７に固定されていて固定端であり、長手方向他端側は、自由端である。すなわち、爪部１０は、本体部７に対して垂直方向に立ち上げて設けられ、かつ、本体部７から離れた位置で本体部７の端部に沿ってほぼ水平方向に設けられる。したがって、図５に示すように、爪部１０が撓む範囲の長さＬを長くとることができ、その結果、撓み量も大きくすることができる。
【００２９】
各爪部１０の長手方向他端側、すなわち、自由端側には、爪部１０の板面に対して突出した凸状の突起部１４が形成されている。プレート５がフロントパネル２に設置される位置で、突起部１４が孔部１３に嵌まる。
【００３０】
上述したフロントパネル２に対してプレート５を組み付ける場合、まず、本実施形態では、プレート５の本体部７に対しレンズ部８を嵌め合わせて一体化する。そして、一体化されたプレート５の爪部１０の板面を、フロントパネル２の固定板１１の板面に沿わせてスライドさせる。爪部１０の突起部１４が、固定板１１の孔部１３に嵌まっておらず固定板１１の板面と接触している状態では、爪部１０は、固定板１１から押圧されて撓んでいる。
【００３１】
そして、プレート５がフロントパネル２に設置される位置で、孔部１３に対して爪部１０の突起部１４が嵌まり、爪部１０の撓みが解除される。その結果、突起部１４が孔部１３に嵌め合わされた状態が維持され、プレート５がフロントパネル２に固定される。すなわち、プレート５は、板面に対して鉛直方向及び水平方向の移動、すなわち、フロントパネル２からの浮き上がりや、フロントパネル２に沿った移動が防止される。
【００３２】
なお、上述した実施形態では、プレート５の対向する２辺（本実施形態では、本体部７の対向する２辺）において、各辺で二つずつ爪部１０が設けられる場合について説明したが、本発明はこの例に限定されない。爪部は、プレートの各辺で一つのみ設けられてもよいし、三つ以上設けられてもよい。
【００３３】
以上、本実施形態によれば、そして、爪部１０は、プレート５の端部に沿って長い板材であって、長手方向一端部が固定端とされ、長手方向他端部が自由端とされている。これにより、図６及び図７に示した従来例と異なり、図５に示すように、爪部１０が撓む範囲の長さＬを長くとることができる。その結果、従来例に比べて、爪部１０の撓み量も大きくすることができるため、フロントパネル２に対してプレート５を組み付ける際、爪部１０が破損されにくくなる。
【００３４】
また、組み付け時に撓みが生じる爪部１０は、フロントパネル２ではなく、プレート５に設置される。したがって、爪部１０が破損されにくいように板厚を厚く設定したとしても、フロントパネル２の成形には、何ら影響を及ぼさない。すなわち、図６及び図７に示した従来例の爪部５２は、板厚を厚くすることによって、フロントパネル５０の正面にヒケ等の成形不良が生じる可能性があったが、本実施形態では、フロントパネル２の正面にヒケ等の影響がない。
【符号の説明】
【００３５】
１    ：室内機
２    ：フロントパネル
３    ：吹出口
４    ：フラップ
５    ：プレート
６    ：開口部
７    ：本体部
８    ：レンズ部
９    ：レンズ
１０  ：爪部
１１  ：固定板
１２  ：爪部
１３  ：孔部
１４  ：突起部
１５  ：抑え部
５０  ：フロントパネル
５１  ：透過プレート
５２  ：爪部
【図１】
2017138075.tif 000003
【図２】
2017138075.tif 000004
【図３】
2017138075.tif 000005
【図４】
2017138075.tif 000006
【図５】
2017138075.tif 000007
【図６】
2017138075.tif 000008
【図７】
2017138075.tif 000009